(57)【特許請求の範囲】
【請求項１】
パックの内容物を包囲し、紙あるいは類似の包装材料で製造される少なくとも１つのパックコンテナー(１１)と、 パックが使用されるとき、少なくとも一部が取り除かれる箔から製造される外側包装材(３３)とからなり、 そのパックコンテナー(１１)は、脆弱線によって区画され、外側包装材(３３)が取り除かれたとき、パックコンテナー(１１)から分離されることができるような態様で外側包装材(３３)に接続されている開口タブ(３９)を端部壁（１７）の区域に有し、以下の点に特徴を有するシガレット用のパック。
ａ）パックコンテナー(１１)あるいはパックコンテナー(１１)を形成するブランクは、端部壁（１７）に隣接してＺ字状に折り曲げられる材料ストリップ（２２，２３）からなるＺ字状折り曲げ部を有している。
ｂ）開口タブ(３９)は、Ｚ字状折り曲げ部あるいは材料ストリップ（２２，２３）の区域に、およびその区域を超えて隣接する側部壁（１５）に延出しているグリップタブ（４１）に接続されている。
ｃ）グリップタブ（４１）は打ち抜き線（４０）に区画され、開口タブ（３９）の区域で端部壁（１７）に対して折り曲げられる自由端部区域を有している。
ｄ）グリップタブ（４１）は、接着面（４３）が露出した端部区域で外側包装材(３３)の外側端部壁（３４）に接続されている。
【請求項２】

接着面（４３）は、グリップタブ（４１）の印刷されていない内面に適用され、熱と圧力により作用してグリップタブ（４１）を外側端部壁（３４）に接続するホットメルト型接着剤からなる点に特徴を有する請求項１記載のシガレット用のパック。
【発明の詳細な説明】
【０００１】
この発明はパック、特に、好ましくはソフトパックタイプのパックの内容物を包囲する少なくとも１つのパックコンテナーと、パックが使用に供されたとき少なくとも部分的には取り除かれる箔等から作られた外側包装材とからなるシガレットパックに関し、前記パックコンテナーは、折り曲げ線および／または脆弱線によって区画される断裂開口タブすなわち開口タブを有する。
【０００２】
大量消費商品のパック、特に、シガレットパックにおいては、パックが(最初に)使用されるとき、消費者が実行することが簡単なパックの開口に関する問題が存在する。特に、ソフトパックタイプのシガレットパックにおいては、薄い箔製の内側包装材の端部壁の区域において、前記端部壁を手で慎重に引き裂き、このようにして取り出し開口部形成することが普通である。取り除くことがより容易な開口用タブを創り出すために、脆弱化線による補助手段についての試みがすでになされている。しかしながら、これは未だ不満足な操作でしかない。
【０００３】
この発明の目的は、したがって、最初に使用されるとき、パック、特に、シガレットパックの開口をより容易にすることである。
【０００４】
この目的を達成するために、この発明のパックは、パックコンテナ−の開口タブが、外側包装材が取り除かれる場合に、引き裂き用開口タブが開口位置に移動されるか、パックコンテナーから分離されることが可能なように、外側包装材に接続される点に特徴を有する。
【０００５】
したがって、発明の思想は、外側包装材が取り除かれたとき、パックの開口タブ、特に、穿孔列その他の態様で規定される１つの開口部が自動的に除去されるか少なくとも開口位置に移動される点にある。この目的で、開口タブのみならず適当でありさえすればパックの蓋もまた、箔製の外側包装材または取り除こうとする外側包装材の部分に接着によって接続される。したがって、パックが最初に使用されるとき、外側包装材が完全にまたは部分的に取り除かれる場合には、このことによってタブの自動的な開口が生じる。
【０００６】
ソフトパックにおいては、一方の端部壁が引き裂くことができる材料、すなわち、錫箔(従来型のソフトパックの内側包装材)または紙(ＵＳ特許第５，７６２，１８６号のパック)で構成される。内側包装材またはパックコンテナーの端部壁は、穿孔列および／または打ち抜き線によって規定される開口タブを備える。このタブは、接着剤によって箔製の外側包装材の一方の端部壁の内側に固定される。通常は、外側包装材の上部すなわち頂部が、全周囲に亘り延出する引き裂きストリップを援用して取り除かれる。開口タブはこの頂部に接続される。この頂部が把持されると、開口タブが開口位置に引っ張られて、残存接続部が破壊される。
【０００７】
この発明は、ＤＥ第１９８，０２８００．８号の開口補助手段を備えるパックに特に有利に用いられる。
【０００８】
この発明のパックの別の細部と特色を添付図面を参照しつつ以下に説明する。
【０００９】
シガレットパックとそれらのブランクが好ましい模範具体例として図示される。これらは、パックの内容物、すなわち、シガレット１０のグループが引き裂き可能な包装材料製のブランクによって完全に囲まれる。
【００１０】
図１は、変形されたソフトパックを示す。このパックは、前部壁１２、後部壁１３、２つの幅の狭い直立側部壁１４、１５、底部壁１６、および端部壁１７からなる単一のブランクからなる(図５参照)。このパックコンテナー１１の特色は、底部壁１６の二層構造にある。このために、図５のブランクは、底部側に２つの折り曲げストリップ１８、１９を有する。下側のすなわち縁側の折り曲げストリップ１９は、折り曲げストリップ１８と向き合ってその上に、ブランクのこの折り曲げエッジ部２０に沿って、折り曲げられる(図６、図７)ので、ブランクのこの区域は、二重構造となる。この二重構造区域においては、底部壁１６が従来の封筒型折り曲げによって形成される。この接続においては、外側の台形の(二重構造の)折り曲げフラップが、接着剤、今の場合は、(４点の)接着剤スポット２１によって折り曲げ位置に固定される。底部壁１６の外貌は従来のソフトパックの底部壁のそれと変わるところはない。
【００１１】
図５のブランクまたは図１のシガレットパックは、端部壁１７の区域においても正確に形成される。ブランクの２つの材料ストリップ２２、２３は、Ｚ字状に、特に製造しようとするパックコンテナー１１の内側に折り曲げられる。したがって、一つの折り曲げ線２４が、従来のソフトパックの縁のエッジ部の光学的マークを創り出す上部縁部を形成する。従来の態様で折り曲げられる端部壁ストリップ２５が材料ストリップ２２と接して端部壁１７を形成する。
【００１２】
端部壁１７は、内側包装材の端部壁と同様な構造をなし、例えば、従来のソフトパックのための錫箔で構成される。図５のブランクは、この目的で、端部壁１７すなわち端部壁ストリップ２５に隣接して示されるＺ字状折り曲げ部を備える図６、図７の中間折り曲げ位置へ先ず折り曲げられる。次に、断面が閉じた筒状の中間折り曲げ位置に移行され、重なったとき内側になる縁部フラップ２６が接着剤スポット２７によって、ブランクの自由縁部において関連する側部壁１４に接続される。底部壁１６が折り曲げられ、ここまで完成されたパックが充填された後、端部壁が従来態様で折り曲げられるので、内側コーナーフラップ２８、２９と台形の長手方向フラップ３０、３１とが形成される。シール３２、例えば、収入印紙が端部壁１７を横断して延出する。
【００１３】
以上に説明したパックすなわちパックコンテナー１１は、その他の点ではＵＳ特許第５，７６２，１８６号にしたがって有利に設計される。
【００１４】
パックコンテナー１１は、薄い箔、特に透明な箔製の外側包装材３３によって、完全に包囲される。この外側包装材３３は、様々な態様で折り曲げられる。外側の端部壁３４を端部壁１７の折り曲げ構造で設計することは普通である。
【００１５】
パックが最初に使用されるとき、外側包装材３３が完全に、または部分的に取り除かれる。現模範具体例においては、外側包装材３３が、引き裂き開口用ストリップ３５を備える。このストリップは、掴むことができるグリップエンド３６を有する。引き裂き開口用ストリップ３５を付勢することによって、外側包装材３３の上部区域、つまり、頂部３７が分離されて除去される。
【００１６】
このパックは、自動的な開口補助手段を備える。図１、３、５、６および７の模範具体例においては、これがＺ状折り曲げ構造を用いて形成される。図５のブランクは脆弱線すなわち穿孔列線３８を備えており、これはブランクが広げられた状態ではＴ字状の縁部開口タブ３９を規定する。これは、側部壁１５内の一部の区域とともにＺ字状折り曲げ構造区域、言い換えれば材料ストリップ２２、２３の区域に延出し、同時に端部壁ストリップ２５の区域にも延出する。開口タブ３９は、側部壁１５内へ突出する一つの端部区域における区画部として連続打ち抜き線４０を備える。したがって、引き裂き開口用すなわち開口タブ３９は、この区域内でブランクの残存部分には接続されない。
【００１７】
開口タブ３９が設けられ、形成される態様のために、材料ストリップ２２、２３がＺ字状態様に折り曲げられるとき、打ち抜き線４０によって区画されるグリップタブ４１が直立して自由に突出する状態が結果として発生する(図７参照)。このタブは、Ｚ字状折り曲げ部が作られたとき形成された折り曲げ線２４を越える側部壁１５の延長部に延出する。パックすなわちパックコンテナー１１が、とりわけ端部壁１７を折り曲げることによって完成すると、グリップタブ４１は、端部壁１７の面に折り重ねられる。このグリップタブ４１は、端部壁１７の外側頂部に、すなわち、コーナーフラップ２９、長手方向フラップ３０、３１の一部の区域とともに前記頂部に存在する(図１参照)。その他の点においては、開口補助手段を備えるＤＥ１９８，０２８００．８号にしたがって設計される。このことは、開口タブ３９が、端部壁１７の横方向区域すなわちシール３２に隣接する区域に、完全に取り除くことができるように、つまり、引き裂くことができるように規定されることを意味する。グリップタブ４１が付勢されると、開口タブ３９はシール３８まで、あるいは、シール３８の下を僅かに越える穿孔列線３８に沿って引き裂かれる(図１、図３参照)。穿孔列線の枝部４２は、長手方向フラップ３０、３１の区域における分離線として機能する。
【００１８】
開口タブ３９は、外側包装材３３つまりその外側端部壁３４に接続されている。この接続には接着剤が用いられる。グリップタブ４１の上方すなわち外側を向く面は、開口タブ３９の一部としてのグリップタブ４１を外側包装材３３すなわち外側の端部壁３４に接続する接着面４３を備える(図１、図３)。透明な接着剤が有利に用いられるので、接着面４３の接着剤は外からは見えない。
【００１９】
こうして設計されたパックが開かれる場合は、引き裂き開口用ストリップ３５を付勢することによって外側包装材３３すなわちその頂部３７が取り除かれる。開口タブ３９が、グリップタブ４１に接続され、穿孔列線３８に沿って端部壁１７から引き裂かれるので、頂部３７を掴んで引き起こすことによって、開口タブ３９が付勢される。
【００２０】
シガレット１０の取り出し口部を露出した後、開口タブ３９はパックコンテナー１１に繋がれたまま残ることができる。しかしながら、現模範具体例においては、開口タブ３９は、穿孔列線の枝部４２が機能する結果として、頂部３７と一緒に完全に取り除かれる。
【００２１】
そのような自動的な開口補助手段を備えるパックの製造は、特定の態様で行われる。接着剤を備える面４３は、外側包装材３３がパックコンテナー１１の周囲に完全に折り曲げられる前に、外側包装材３３(の内側)に適用される。現模範具体例は、接着剤を備える面４３が、図５のブランク用の材料ウエブの製造中に、ブランクに特別に、そして有利に適用される態様で設計される。ブランクは、通常は、包装材料の製造者によって既成のプリントが施された状態で供給される。この工程において、接着剤を備える面４３が、位置的に適切な態様で図示される提案にしたがって、実際上は、ここに図示された開口タブまたはグリップタブ４１の特別な折り曲げシステムに基づいてプリントが施されていない内部に適用される。これに関連して、ブランクすなわち材料ウエブに付与された後に硬化し、時間が経過して、すなわち、図１のパックが完全に完成された後に、熱と圧力とによって再活性化して外側包装材３３と接続される接着剤が利用される。ホットメルト型の接着剤が適切である。
【００２２】
接着剤が付与された面４３を折り曲げられた外側包装材３４の内側に接続することは、折り曲げタブを熱シールによって、外側包装材３３の外側端部壁３４に接続する間に有利に行われる。付与される圧力と熱は、グリップタブ４１を外側端部壁３４に一斉に接続する。
【００２３】
この自動開口補助手段は、比肩される他のパックにおいても使用することが可能である。図２は、基本的には従来のソフトタイプのシガレットパックを示す。パックコンテナー４４は、上部が開放したコンテナーとして設計される。その内側には、シガレット１０のグループを包囲する薄い箔、紙等から製造される内側包装材４６で構成されるシガレットブロック４５が配置される。この内側包装材４６は、図１の模範具体例に対応する端部壁１７が、形成される態様で、上部区域において、折り曲げられる。端部壁１７の折り曲げフラップはこの場合もまた、シール３２によって閉じた位置に保持される。
【００２４】
開口タブ４７は、シール３２に隣接する端部壁１７の横方向の区域に開口補助手段として備わる。
【００２５】
図８は、内側包装材４６用の展開ブランクを示す。開口タブ４７は、端部壁ストリップ４９の区域にＵ字状の穿孔列線４８によって形成される。Ｕ字状の穿孔列線４８は、側部壁１５、前部壁１２および後部壁１３の区画に沿って延出する。横断方向に向かう穿孔列線の枝部５０は、図１の模範具体例と類似した態様で、長手方向フラップ３０、３１の区域において端部壁１７を横断して延出する。
【００２６】
このように設計されるソフトパックは、既述のタイプの外側包装材３３によって包囲される。開口タブ４７は、特に、(２つの)接着剤スポットすなわち接着剤部５１、５２によって、外側包装材３３の外側端部壁３４に接続される。これらは、端部壁１７の面、すなわち、長手方向タブ３０、３１の区域に配置される。図２のパックが、引き裂き開口用ストリップ３５を援用して(最初に)開かれるとき、頂部３７が自由にされ、手で取り除かれる。それと同時に、開口タブ４７が端部壁１７から引き裂かれる。この引き裂きを容易にするために(図４)、開口操作中に最初に手で掴まれる開口タブ４７の部分、すなわち、穿孔列線の枝部５０が、完全にまたは部分的に、打ち抜き線として設計されることができる。
【００２７】
接着剤スポット面５１、５２は、様々な方法で付与することができる。例えば、接着剤スポット面５１、５２は、内側包装材４６の材料ウエブの製造工程において位置的に適切な態様で付与されることができる。図８の完成ブランクに接着剤スポット５１、５２を供給することも可能である。しかしながら、現具体例においては、パックそれ自体は完成済みであるが外側包装材３３が装着される前に、接着剤スポット５１、５２を開口タブ４７の区域に付与し、外側包装材３３が完成したときに説明したような態様で接着剤を活性化することが特に有利である。しかしながら、最後に、接着剤を有する外側包装材を供給することも可能である。
【図面の簡単な説明】
【図１】  ソフトパックタイプのシガレットパックを斜視図で示す。
【図２】  ソフトパックタイプのシガレットパックの異なる具体例を同様に斜視図で示す。
【図３】  図１のパックの開口段階を示す斜視図。
【図４】  図２の模範具体例の図３と同様な図。
【図５】  図１および図３のパックコンテナー用の展開ブランク。
【図６】  中間折り曲げ位置にある図５のブランク。
【図７】  図６の折り曲げ位置にあるブランクの断面図。
【図８】  図２、図４のパックの内側包装材用の展開ブランク。
【図１】
0004176963.tif 000002
【図２】
0004176963.tif 000003
【図３】
0004176963.tif 000004
【図４】
0004176963.tif 000005
【図５】
0004176963.tif 000006
【図６】
0004176963.tif 000007
【図７】
0004176963.tif 000008
【図８】
0004176963.tif 000009